(57)【要約】【課題】ユーザの所望する背景を用いた写真を提供することのできる写真撮影装置を提供する。【解決手段】ユーザ９の所望する背景を用いた写真を撮影するために、写真自動販売機は、透明板２１と透明な棚２２とからなるショーウィンド形式の棚に備えられる、被写体の背景として撮影される背景被写体２３である背景を備えることを特徴とする。そして、透明板２１を介して、所望する背景被写体２３を背景とする写真を撮影することができる。【選択図】　　　　図５
2004004223.tif 000002
【特許請求の範囲】
【請求項１】
被写体と背景とを撮影する撮影手段を備える写真撮影装置であって、前記背景は、透明板と透明棚とからなるスペースに配備された背景用被写体であって、前記撮影手段は、前記透明板を介して前記被写体と前記背景用被写体とを撮影する、写真撮影装置。
【請求項２】
前記透明棚は複数の透明な棚からなり、前記背景用被写体は前記複数の透明な棚の各々に配備される複数の背景用被写体であって、前記撮影手段はユーザの指示に応じて前記複数の背景用被写体のうちから選択して前記背景用被写体として撮影する、請求項１に記載の写真撮影装置。
【請求項３】
前記背景用被写体を照明する照明手段をさらに備え、前記照明手段は、前記ユーザの指示に応じて選択された前記背景用被写体を照明する、請求項２に記載の写真撮影装置。
【請求項４】
前記透明板は、撮影手段によって前記透明板に反射した光が撮影されないような機能を備える、請求項１に記載の写真撮影装置。
【請求項５】
前記透明板に反射した光が撮影されないような機能は、前記透明板に反射した光が前記撮影手段に到達しないような前記透明板の形状である、請求項４に記載の写真撮影装置。
【請求項６】
被写体と背景とを撮影する撮影手段を備える写真撮影装置であって、前記背景は表示手段である、写真撮影装置。
【請求項７】
前記表示手段は、ユーザの指示に応じて、予め記憶されている画像を表示する、請求項６に記載の写真撮影装置。
【請求項８】
前記表示手段は、複数の発光素子と、ネオンランプと、映像スクリーンとのいずれかを用いて画像を表示する、請求項６に記載の写真撮影装置。
【請求項９】
前記撮影手段によって、前記背景が撮影されないように前記背景を遮断する遮断手段をさらに備える、請求項１または６に記載の写真撮影装置。
【請求項１０】
前記撮影手段と前記背景との間に第２被写体をさらに備え、前記撮影手段は、前記被写体と前記背景と前記第２被写体とを撮影する、請求項１または６に記載の写真撮影装置。
【請求項１１】
前記第２被写体は立体映像である、請求項１０に記載の写真撮影装置。
【請求項１２】
請求項１〜１１のいずれかに記載の写真撮影装置と、
前記写真撮影装置で撮影された写真を印刷する印刷手段とを備える、写真自動販売機。
【請求項１３】
請求項１２に記載の写真自動販売機における印刷手段で用いられる、印刷媒体。
【発明の詳細な説明】
【０００１】
【発明の属する技術分野】
この発明は写真撮影装置、写真自動販売機および印刷媒体に関し、特に、ユーザの所望する背景を用いた写真を提供することのできる写真撮影装置、写真自動販売機および印刷媒体に関する。
【０００２】
【従来の技術】
コイン等の対価を投入することで、自動的に使用者の写真を撮影しプリントする写真自動販売機や、さらに撮影された使用者の画像と予め記憶されている画像であって使用者から選択された画像とを組合せた写真をプリントする写真自動販売機などが広く知られている。
【０００３】
【発明が解決しようとする課題】
このような従来の写真自動販売機では、撮影用の背景として、背景を印刷した複数枚のカーテンを用いることができる。また、被写体の背後に照明装置を設けてその照明光の色を変えることができる。
【０００４】
このようにして、使用者に、オリジナリティーの高い背景を提供する写真自動販売機はあるものの、より多くの種類の背景を使用者に提供することができないという問題があった。
【０００５】
また、上述のようなカーテンにはしわやよじれが発生しやすく、カーテンを用いた背景では美しい写真が提供できない場合もあるという問題がある。また、平面に印刷された画像を背景とするのでは、立体感がなく、満足する写真を使用者に提供できない場合もあるという問題があった。
【０００６】
また、よりリアリティある写真を提供するために、画像合成の技術としてクロマキー技術や、顔や人体の認識技術等を用いた技術が採用されているが、そのような技術をもってしても、被写体の髪の１本１本の間というような細部にわたる合成まで行なうことは不可能であり、リアリティに欠くという問題があった。特に、ソバージュやパーマ等の髪のすきまの多い髪型である使用者の場合、実際に撮影すると髪の隙間から背景が透けて見える。また、透明な衣服越しに写る背景は半透明に見える効果がある。このような効果は、上述の画像合成技術で実現することは非常に困難であり、真のリアリティある美しい写真の提供が難しいといった問題がある。
【０００７】
本発明はこのような問題に鑑みてなされたものであり、オリジナリティーの高い背景であって、美しい写真を提供することのできる写真撮影装置、写真自動販売機および印刷媒体を提供することを目的とする。
【０００８】
【課題を解決するための手段】
上記目的を達成するために、本発明のある局面に従うと、写真撮影装置は、被写体と背景とを撮影する撮影手段を備える写真撮影装置であって、前記背景は、透明板と透明棚とからなるスペースに配備された背景用被写体であって、前記撮影手段は、前記透明板を介して前記被写体と前記背景用被写体とを撮影する。
【０００９】
また、上述の透明棚は複数の透明な棚からなり、背景用被写体は複数の透明な棚の各々に配備される複数の背景用被写体であって、撮影手段はユーザの指示に応じて複数の背景用被写体のうちから選択して背景用被写体として撮影することが望ましい。
【００１０】
また、写真撮影装置は、背景用被写体を照明する照明手段をさらに備え、照明手段は、ユーザの指示に応じて選択された背景用被写体を照明することが望ましい。
【００１１】
また、上述の透明板は、撮影手段によって透明板に反射した光が撮影されないような機能を備えることが望ましい。
【００１２】
さらに、上述の透明板に反射した光が撮影されないような機能は、透明板に反射した光が撮影手段に到達しないような透明板の形状であることが望ましい。
【００１３】
本発明の他の局面に従うと、写真撮影装置は、被写体と背景とを撮影する撮影手段を備える写真撮影装置であって、背景は表示手段である。
【００１４】
また、上述の表示手段は、ユーザの指示に応じて、予め記憶されている画像を表示することが望ましい。
【００１５】
また、上述の表示手段は、複数の発光素子と、ネオンランプと、映像スクリーンとのいずれかを用いて画像を表示することが望ましい。
【００１６】
また、写真撮影装置は、撮影手段によって、背景が撮影されないように背景を遮断する遮断手段をさらに備えることが望ましい。
【００１７】
また、写真撮影装置は、撮影手段と背景との間に第２被写体をさらに備え、撮影手段は、被写体と背景と第２被写体とを撮影することが望ましい。
【００１８】
さらに、上述の第２被写体は、立体映像であることが望ましい。
本発明のさらに他の局面に従うと、写真自動販売機は、上述の写真撮影装置と、写真撮影装置で撮影された写真を印刷する印刷手段とを備える。
【００１９】
また、本発明のさらに他の局面に従うと、印刷媒体は、上述の写真自動販売機における印刷手段で用いられる印刷媒体である。
【００２０】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２１】
［第１の実施の形態］
まず、第１の実施の形態における写真自動販売機について説明を行なう。
【００２２】
図１は、本実施の形態における写真自動販売機の外観の具体例を示す図である。
【００２３】
図１を参照して、本実施の形態における写真自動販売機は、筐体３の内部に写真撮影装置１が備えられ、被写体９０であるユーザ９と相対する。説明の便宜上、筐体３において、ユーザ９と対向する側を前面とする。すなわち、図１の筐体３に関して紙面の左側が筐体３の前側、右側を筐体３の後側とする。なお、被写体９０としては、任意の物体を選択することができるが、本実施の形態においては、ユーザ９であるものとする。
【００２４】
被写体９０の背後には、撮影時の背景である背景２が配備される。なお、背景２については、後に具体例を挙げ、詳細な説明を行なう。
【００２５】
筐体３後部の内壁の色、あるいは模様は、撮影が効果的に行なわれるものであれば、限定されるものではない。具体的には、クロマキー合成を行なう場合は青色が施されている。その他、間接照明の効果を引出すために白色が施されていてもよいし、被写体９０への色の影響（色被り）を考慮し、ピンク色、赤色および黄色等が施されていてもよい。
【００２６】
図２は、図１に示される写真撮影装置１の外観の具体例を示す図である。
図２を参照して、写真撮影装置１の正面には、上部カメラ１０ａおよび下部カメラ１０ｂが備えられ、ユーザ９からコイン投入口５０に対価（コイン）を投入されることで、被写体９０を正面および上方向から撮影する。
【００２７】
写真撮影装置１の正面に備えられるスピーカ７０は、ＢＧＭや各種指示等の音声情報を出力する。
【００２８】
撮影された被写体９０の画像は、上部ディスプレイ３０ａおよび下部ディスプレイ３０ｂに表示される。また、ユーザ９は、正面に備えられる上部ディスプレイ３０ａに表示される撮影画像を見ながら、好みのポーズを取ることができる。
【００２９】
さらに写真撮影装置１の正面に、ユーザ９からの各種指示等の入力を受付ける操作部４０を備える。操作部４０は、下部ディスプレイ３０ｂと入力装置４１とから構成される。下部ディスプレイ３０ｂは、タッチパネル式の入力手段を備える。ユーザ９は、ペン形状の入力装置４１で下部ディスプレイ３０ｂに表示されるボタンにタッチし、各種指示等の入力や、印字画像の決定を行なうことができる。また、下部ディスプレイ３０ｂに直に文字の書込みや、任意の図形の描込みを行なうことができる。また、図２に示される如く、ペン形状の入力装置４１を複数備えることもできる。その場合、複数のユーザ９によって、上述の指示の入力や、図形の描込み等を行なうことができる。また、入力装置４１は、コントローラ式の入力装置であってもよいし、その他の形態の入力装置であってもよい。
【００３０】
ユーザ９の指示によって、撮影画像は、紙やプラスチック等のカード類、金属の装身具等の印刷媒体に印刷され、取出口６０より排出されることでユーザ９に提供される。
【００３１】
なお、写真撮影装置１は、上述の形態に限定されず、その他の様々な機能が備えられていてもよい。
【００３２】
さらに図３は、図２に示される写真撮影装置１の構成を示す機能ブロック図である。
【００３３】
図３を参照して、写真撮影装置１は、写真撮影装置１全体の制御を行なう制御部１０１を備える。制御部１０１は、操作部４０より、操作信号を受信する。また、コイン投入口５０の内部に備えられるコイン検出部５１より、コイン検出信号を受信する。
【００３４】
記憶部１０２は、複数の画像データおよびサウンドデータを記憶する。記憶部１０２に記憶されている画像データには、デモンストレーション画像（以下、デモ画像という）、および印刷媒体の表面に印刷されるべき複数の装飾画像などが含まれる。また、記憶部１０２は、制御部１０１において実行されるプログラムを記憶する。さらに、記憶部１０２は、制御部１０１でプログラムが実行される際の、一時的な記憶領域ともなる。
【００３５】
グラフィックＩ／Ｆ（インタフェース）回路１０３は、記憶部１０２から記憶されている画像データを読出し、所定の記憶画像信号に変換して、画像合成部１０６および表示選択回路１０７に送信する。
【００３６】
サウンドＩ／Ｆ回路１０４は、記憶部１０２から記憶されているサウンドデータを読出し、所定のサウンド信号に変換して、スピーカ７０に送信する。
【００３７】
上部カメラ１０ａおよび下部カメラ１０ｂからなるカメラ１０より送られる被写体９０の画像信号は、画像補正部１０５で受信され、画像補正部１０５は、被写体９０の画像を補正する。画像補正部１０５では、画像の歪補正、色調補正、画像の変形、回転、および反転等の、必要な処理を行なう。画像補正部１０５で補正された被写体９０の画像信号は、画像合成部１０６に送信される。
【００３８】
画像合成部１０６は、被写体９０の画像信号を第１画像信号として受信し、グラフィックＩ／Ｆ回路１０３から送信される記憶画像の画像信号を第２画像信号として受信する。そして第１画像と第２画像とを合成する。画像合成部１０６での画像の合成手法は、実用新案登録第３０４３８５５号および実用新案登録第３０５１７７６号などに詳述されているため、ここではその詳細な説明を省略する。なお、画像合成部１０６は複数の合成手法を備え、制御部１０１からの制御信号により最適な合成手法を選択することが望ましい。合成された画像は、表示選択回路１０７およびプリンタ６１に送信される。
【００３９】
表示選択回路１０７は、画像合成部１０６からの合成画像信号と、グラフィックＩ／Ｆ回路１０３からの記憶画像信号とを受信し、制御部１０１からの制御信号に基づいて、一方の画像信号を選択して、上部ディスプレイ３０ａおよび下部ディスプレイ３０ｂからなるディスプレイ３０に送信する。ディスプレイ３０は、表示選択回路１０７からの画像信号を受信して画像を表示する。
【００４０】
プリンタコントローラ１０９は、制御部１０１からの制御信号に基づいて、プリンタ６１を制御する。プリンタ６１は、プリンタコントローラ１０９の制御により、画像合成部１０６からの合成画像信号を受信し、合成画像データに基づいて印刷画像データを生成して、当該印刷画像を所定の印刷媒体に印刷する。なお、プリンタ６１は、写真撮影装置１本体に含まれていなくてもよい。その場合、プリンタコントローラ１０９は、ＬＡＮ（Ｌｏｃａｌ　Ａｒｅａ　Ｎｅｔｗｏｒｋ）や専用回線等を用いて通信を行なうことで、あるいは無線による通信を行なうことで、遠隔にあるプリンタ６１を制御し、当該印刷画像を印刷媒体に印刷することができる。
【００４１】
照明制御部１０８は、カメラ１０による撮影手段と同期して上部照明２０ａおよび下部照明２０ｂからなる照明２０が照明するよう、照明２０の同期制御を行なう。
【００４２】
カウンタ１１０は、コイン投入数などをカウント表示する。
このような写真撮影装置１を備える一般的な写真自動販売機では、通常以下のような動作が行なわれる。すなわち、ユーザ９がコインを投入するまでは、制御部１０１からの制御信号に基づいて、表示選択回路１０７は、グラフィックＩ／Ｆ回路１０３側を選択している。このため、記憶部１０２に予め記憶されているデモ画像のデータがグラフィックＩ／Ｆ回路１０３に転送されて、デモ画像がディスプレイ３０に表示されている。また、記憶部１０２に予め記憶されているＢＧＭのサウンドデータがサウンドＩ／Ｆ回路１０４に転送されて、スピーカ７０よりＢＧＭが流されている。
【００４３】
ユーザ９がコインを投入して、コイン検出部５１から検出信号が制御部１０１に送信されると、制御部１０１からの制御信号により、記憶部１０２に記憶された所定の画像データおよびサウンドデータが読出され、グラフィックＩ／Ｆ回路１０３およびサウンドＩ／Ｆ回路１０４に送信される。そして、ディスプレイ３０およびスピーカ７０から、表示および音声により、ユーザ９に適宜指示がなされ、以下に示す動作が行なわれる。
【００４４】
図４は、写真撮影装置１が備えられる本実施の形態の写真自動販売機において実行される処理を示すフローチャートである。図４のフローチャートに示される処理は、写真撮影装置１の制御部１０１が、記憶部１０２に記憶されるプログラムを実行することにより実現される。
【００４５】
図４を参照して、まず、デモ画面が表示されている時に、ユーザ９より必要な枚数のコインを受付けると、コイン検出部５１がコインの投入を検出する（Ｓ１０１）。制御部１０１はコイン検出部５１から検出信号を受信し、記憶部１０２に記憶された所定の画像データおよびサウンドデータを読出す。読出された画像データおよびサウンドデータは、グラフィックＩ／Ｆ回路１０３およびサウンドＩ／Ｆ回路１０４に送信される。そして、ディスプレイ３０からの表示およびスピーカ７０からの音声によって、ユーザ９に適宜指示が出力される。
【００４６】
続いて、ユーザ９からの、所望の撮影方法の選択を受付ける（Ｓ１０３）。写真撮影装置１においては、１度の処理において、撮影を複数回行なうことができる。例えば、上部カメラ１０ａを用いて顔アップの撮影を行なうこともでき、また、下部カメラ１０ｂを用いて全身撮影を行なうこともできる。このようなバリエーションを考慮した撮影方法を予め複数設定することができ、ディスプレイ３０にそれらの撮影方法を表示することで、ユーザ９に選択をさせる。ユーザ９は、タッチペン等の入力装置４１を用いて選択することによって、所望する撮影方法を入力することができる。なお、ステップＳ１０３で受付ける撮影方法の選択には、上述のカメラ１０による撮影方法の選択の他、照明の当て方等も適宜組合され、選択することができてもよい。
【００４７】
さらに引続いて、ユーザ９からの、所望の背景２の選択を受付ける（Ｓ１０４）。ステップＳ１０４で、ユーザ９の所望する背景２が選択されると、当該背景２が撮影されるように制御する。なお、所望する背景２に制御する方法については、後に具体的に説明を行なう。
【００４８】
ステップＳ１０３において選択された撮影方法と背景２とが決定すると、被写体９０をカメラ１０で撮影する（Ｓ１０５）。ステップＳ１０５における撮影処理は、複数回の所定回数行なわれてもよい。また、制限時間内で繰返し複数回行なわれてもよい。このとき、カメラ１０の移動の指示を入力装置４１より受付けることができる。
【００４９】
ステップＳ１０５における撮影が終了すると、撮影画像がディスプレイ３０に表示される。そして、ユーザ９より、その画面に対する第２画像の入力を受付ける（Ｓ１０７）。ステップＳ１０７における第２画像の入力の受付けは、所定の制限時間に達するまで行なうことができる。ディスプレイ３０に、第２画像を入力するために用いるツールとして、ペン、スタンプ、背景、色、線種、および柄等を表示させ、まず、ユーザ９からツールの選択を受付ける。そして、選択されたツールを用いた、任意の画像やテキスト等の第２画像の入力を受付ける。
【００５０】
ステップＳ１０７において第２画像の入力が終了すると、ステップＳ１０５で撮影された撮影画像と上述の第２画像とを合成した画像を、ディスプレイ３０に表示する。撮影画像と第２画像とは、共に複数の画像があり、ディスプレイ３０には、複数の合成された画像が表示される。そして、ユーザ９より、その中から印刷する画像の選択を受付ける（Ｓ１０９）。
【００５１】
さらに、ステップＳ１０９で選択された印刷する画像を、記憶部１０２に保存された複数のレイアウトに対応させてディスプレイ３０に表示する。レイアウトとしては、所定の印刷媒体のサイズを、８分割、１６分割、２４分割および３２分割にしたレイアウト等がある。そして、ディスプレイ３０に表示された上述の複数のレイアウトの中から、ユーザ９より、所望するレイアウトの選択を受付ける（Ｓ１１１）。
【００５２】
ステップＳ１１１でレイアウトの選択の受付けが終了すると、受付けたレイアウトと、ステップＳ１０９で受付けた印刷する画像の画像データとを、プリンタコントローラ１０９に指示信号として送信する。そして、プリンタ６１にて所定の印刷媒体の表面に印刷させ（Ｓ１１３）、印刷された印刷媒体を取出口６０から排出することでユーザ９に提供する。
【００５３】
以上で写真撮影装置１における処理は終了し、写真自動販売機では、次にコインが投入されるまで、上記のコイン投入前と同様に、ＢＧＭが流され、デモ画像が表示される。
【００５４】
以上が、本実施の形態の写真撮影装置１を備える写真自動販売機についての説明である。
【００５５】
次に、第１の実施の形態における背景２について説明を行なう。図５は、第１の実施の形態における背景２の具体例について示す図である。図５を参照して、本実施の形態における写真自動販売機は、ショーウィンド形式の棚を用いて背景２を備えることを特徴とする。具体的には、本実施の形態における背景２は、透明板２１と透明な棚２２とからなるショーウィンド形式の棚に備えられる、被写体９０の背景として撮影される背景被写体２３であることを特徴とする。
【００５６】
背景２である背景被写体２３は、ぬいぐるみや風船や植物等が該当する。それらの背景被写体２３は棚２２に載せられ、透明板２１を介して、被写体９０の背景に写込んで背景となる。このように、ぬいぐるみ等の背景被写体２３がショーウィンドに入れられていることで、撮影の際に被写体９０に接触して邪魔になったり、壊れたり、盗難にあったり、汚れたりすることがない。また、立体物を背景に写真を撮影することができるため、画像合成を必要とせずに、細部にわたる自然な背景合成写真を提供することができる。そのため、画像合成技術では得られない自然な合成画像を得ることができ、臨場感ある写真を提供することができる。また、棚２２が透明であることで、棚２２が写込まない自然な写真を得ることができる。また、ぬいぐるみ等の静止した物体に限定されず、自動的あるいはユーザ９の指示によってその形状を変化させるぬいぐるみ等の物体を背景被写体２３とすることで、よりバラエティのある写真を得ることができる。
【００５７】
棚２２は、図５に示されるように複数段備えられ、各々の棚の上方には照明２４が備えられて、各棚２２に載せられている背景被写体２３を照明する。ユーザ９は、写真撮影装置１の入力装置４１から指示を入力する等を行なって、背景として用いる背景被写体２３が載せられている段のみ照明２４を点灯することができる。そして、透明板２１を介して、所望する背景被写体２３を背景とする写真を撮影することができる。
【００５８】
また、係員等は、背後の扉２６を開けて棚２２を任意に取外すことができる。そのため、扉２６には、ユーザ９等が勝手に開閉しないように、施錠されていることが望ましい。棚２２を任意に取外すことで、サイズの制約を受けず、様々な背景被写体２３をユーザ９に提供することができる。例えば、被写体９０と等身大の人形や植物等の背景被写体を置くことで、あたかも被写体９０と並んだような写真を得ることができる。
【００５９】
扉２６の内側は、さらに背景被写体２３の背景として用いることができる。そのため、扉２６には、背景被写体２３のイメージに合致した色彩や模様等が施されていてもよいし、写真撮影装置１で実行される画像処理のための色彩等が施されていてもよい。例えば、扉２６の内側に海辺の情景を表わしたポスター等を配し、背景被写体２３としてサーフィンボードを配することで、海辺で撮影したような、臨場感ある写真を得ることができる。また、入力装置４１等がユーザ９からの指示を受付けることで、任意に扉２６の内側の色彩や模様等が変化してもよい。
【００６０】
なお、上述の背景２を背景としない写真を得たいというユーザ９のニーズに応じるため、透明板２１の前方に、背景２を遮断するための透明でないカーテン２５をさらに備える。そのため、このようなユーザ９は、図５に示されるようにカーテン２５を降ろし、背景被写体２３が写らないように（遮断）して従来通りに写真を撮影することができる。
【００６１】
透明板２１は、ユーザ９が当たった場合であっても安全であるように、強化ガラスやアクリルやポリカーボネート等を素材とする透明板であることが望ましい。さらに、撮影の際の照明２０が反射しない構成を備える。具体的には、特殊表面加工を施すことによって、反射率を大幅に減少させた素材を用いた透明板２１を用いることもできる。また、透明板２１の形状を、図６および図７に示される形状とすることもできる。図６は背景２の上面図で、図７は側面図である。図６および図７に示されるように、透明板２１が曲面を奏することで、反射光がカメラ１０に到達することを防止することができ、反射光の写込まない美しい写真を得ることができる。なお、曲面の方向は、図６に示すように上から見て曲面を奏していてもよいし、図７に示すように横からみて曲面を奏していてもよい。また、その両方の形状を備えてもよい。
【００６２】
さらに、透明板２１は、図８に示す形状を奏してもよい。すなわち、分割された透明板２１が角度をもって下（あるいは上）を向いている形状であってもよい。このようにすることでも、反射光の写込まない美しい写真を得ることができる。
【００６３】
また、図５には図示されていないものの、本実施の形態における背景２として、透明板２１の前にも背景被写体２３が配されていてもよい。その場合、上述の如く、被写体９０との接触や盗難のおそれ等あるため、このようなことの発生しないような配され方をされていることが望ましい。具体的には、透明板２１に接着されたガラス製の風船や、図示しない映写装置等で投影される立体ホログラフィ等の背景被写体２３を配することができる。なお、上述の立体ホログラフィを背景被写体２３として配することで、任意の場所に表示することができ、任意の位置に背景被写体２３を配することができる。また、被写体９０に重ねて配することも可能である。そのため、より臨場感ある写真を得ることができる。また、このような背景被写体２３を、カメラ１０と被写体９０との間に配することで、被写体９０が背景被写体２３である風船等を手に持ったような臨場感ある写真を得ることもできる。
【００６４】
［第２の実施の形態］
次に、第２の実施の形態における写真自動販売機について説明を行なう。第２の実施の形態における写真自動販売機の外観および写真撮影装置１の構成については、第１の実施の形態におけるものと同様であるため、ここでは説明を繰返さない。
【００６５】
次に、図９は、第２の実施の形態における背景２の具体例について示す図である。図９を参照して、本実施の形態における写真自動販売機は、背景２として、被写体９０の背後に背景ディスプレイ２７とその制御装置２８とを備えることを特徴とする。なお、制御装置２８は、図９に示される如く、写真撮影装置１と独立した装置であってもよいし、写真撮影装置１に含まれる装置であってもよい。後者の場合、背景ディスプレイ２７の背後に制御装置２８の設置スペースを設ける必要がなく、筐体３をよりコンパクトに設計することができる。
【００６６】
図１０は、背景ディスプレイ２７と制御装置２８との構成を示すブロック図である。図１０を参照して、背景ディスプレイ２７は、複数の発光素子、ネオンランプ、あるいは映像スクリーン等から構成され、制御装置２８に制御されて様々な映像を表示する。
【００６７】
制御装置２８は、ＣＰＵ（Ｃｅｎｔｒａｌ　Ｐｒｏｃｅｓｓｉｎｇ　Ｕｎｉｔ）等から構成され、制御装置２８と背景ディスプレイ２７とを制御する制御部２０１と、ユーザ９からの指示の入力を受付ける入力部２０４と、通信部２０３と、表示する情報等を記憶する記憶部２０２とを含む。
【００６８】
本実施の形態において、ユーザ９は、予め制御装置２８の記憶部２０２に記憶されている画像のうち、所望する画像を背景ディスプレイ２７に表示させて、写真の背景とすることができる。このような背景ディスプレイ２７に表示させる画像は、制御装置２８の入力部２０４に直接入力することで指示してもよい。また、写真撮影装置１の入力装置４１で入力することによって、写真撮影装置１から制御装置８２の入力部２０４に入力された指示が渡されてもよい。また、制御装置２８がインターネットや通信回線やＬＡＮ（Ｌｏｃａｌ　Ａｒｅａ　Ｎｅｔｗｏｒｋ）等を介して通信する通信部２０３を備える場合には、それらを介して他のサーバ等の記憶装置から、所望する画像データを取得して背景ディスプレイ２７に表示してもよい。また、観光会社や遊戯を提供する会社等から、通信部２０３を介して、それらの業者が提供している商品等の画像を取得して背景ディスプレイ２７に表示してもよい。
【００６９】
このように、予め記憶部２０２に記憶させた画像や通信部２０３を介して取得した画像データを背景画像として背景ディスプレイ２７に表示させることで、無限の種類の背景画像をユーザ９に提供することができ、ユーザ９にオリジナリティの高い写真を提供することが可能になる。
【００７０】
なお、上述のように、制御装置２８が写真撮影装置１に含まれる場合、制御装置２８の制御部２０１の行なう制御手段を写真撮影装置１の制御部１０１が行なうことで、制御部２０１を制御部１０１に包含させることができる。同様に、記憶部２０２は記憶部１０２に包含させることができる。また、入力部２０４は操作部４０に包含させることができ、ユーザ９は、操作部４０を操作することで背景ディスプレイ２７の表示を操作することができる。また、通信部２０３を写真撮影装置１内に備えることができる。そして、写真撮影装置１と背景ディスプレイ２７とが通信を行なうことで画像データを互いに送受信し、背景ディスプレイ２７に画像を表示させることができる。なお、ここでの通信は、ＬＡＮやその他のインタフェース等を用いた通信回線による通信であってもよいし、無線による通信であってもよい。さらに、背景ディスプレイ２７は、写真撮影装置１内の電源部（図示せず）から電源を得ることもできる。このようにすることで、装置の製造コストを大幅に削減することができる。
【００７１】
なお、本実施の形態においても第１の実施の形態における写真自動販売機と同様に、背景ディスプレイ２７の前にカーテン（図示せず）を備えることで、背景ディスプレイ２７に表示される画像を背景としない写真を得たいというユーザ９のニーズに応えることもできる。また、第１の実施の形態における写真自動販売機と同様に、背景２の前に立体ホログラフィ等の背景被写体２３を配することができる。このことによって、より臨場感ある写真を得ることができる。
【００７２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本実施の形態における写真自動販売機の外観の具体例を示す図である。
【図２】図１に示される写真撮影装置１の外観の具体例を示す図である。
【図３】図２に示される写真撮影装置１の構成を示す機能ブロック図である。
【図４】写真撮影装置１が備えられる本実施の形態の写真自動販売機において実行される処理を示すフローチャートである。
【図５】第１の実施の形態における背景２の具体例について示す図である。
【図６】透明板２１の形状の具体例を示す図である。
【図７】透明板２１の形状の具体例を示す図である。
【図８】透明板２１の形状の具体例を示す図である。
【図９】第２の実施の形態における背景２の具体例について示す図である。
【図１０】背景ディスプレイ２７と制御装置２８との構成を示すブロック図である。
【符号の説明】
１　写真撮影装置、２　背景、３　筐体、９　ユーザ、１０　カメラ、１０ａ上部カメラ、１０ｂ　下部カメラ、２０　照明、２０ａ　上部照明、２０ｂ　下部照明、２１　透明板、２２　棚、２３　背景被写体、２４　照明、２５　カーテン、２６　扉、２７　背景ディスプレイ、２８　制御装置、３０　ディスプレイ、３０ａ　上部ディスプレイ、３０ｂ　下部ディスプレイ、４０　操作部、４１　入力装置、５０　コイン投入口、５１コイン検出部、６０　取出口、６１　プリンタ、７０　スピーカ、１０１　写真撮影装置の制御部、１０２　写真撮影装置の記憶部、１０３　グラフィックＩ／Ｆ回路、１０４サウンドＩ／Ｆ回路、１０５　画像補正部、１０６　画像合成部、１０７　表示選択回路、１０８　照明制御部、１０９　プリンタコントローラ、１１０　カウンタ、２０１制御装置の制御部、２０２　制御装置の記憶部、２０３　通信部、２０４　入力部。
【図１】
2004004223.tif 000003
【図２】
2004004223.tif 000004
【図３】
2004004223.tif 000005
【図４】
2004004223.tif 000006
【図５】
2004004223.tif 000007
【図６】
2004004223.tif 000008
【図７】
2004004223.tif 000009
【図８】
2004004223.tif 000010
【図９】
2004004223.tif 000011
【図１０】
2004004223.tif 000012